(57)【要約】【課題】  システムが稼働中であっても既設のラックのセキュリティを高めることができる電気錠システムを提供する。【解決手段】  ラック１１に、電気錠２１及び電気錠制御装置２２を貼着して固定し、電気錠制御装置２２を、ネットワーク８１を介して電気錠管理装置８３に接続する。電気錠管理装置８３は、電気錠制御装置２２との通信機能を備え、電気錠管理装置８３は、電気錠制御装置２２に対して制御信号を送信し、かつ電気錠制御装置８３から各種状態を取得する。電気錠２１は、電気錠管理装置８３からの信号に従ってラック１１の扉１２の解放を阻止する施錠状態と、扉１２の開放を許容する解錠状態とを形成する。【選択図】        図１
2006009330.tif 000002
【特許請求の範囲】
【請求項１】
電子機器を収容したラックの外表面に貼着して固定され、当該ラックの開口部を開閉する扉の解放を阻止する施錠状態、及び前記扉の開放を許容する解錠状態を選択的に形成する電気錠と、該電気錠にネットワークを介して通信可能に接続される電気錠管理装置とからなる電気錠システムであって、
前記電気錠管理装置は、
入力に応じて前記ネットワークに接続された前記電気錠に対して当該電気錠を前記施錠状態にする為の施錠信号を出力する施錠信号出力手段と、
入力に応じて前記ネットワークに接続された前記電気錠に対して当該電気錠を前記解錠状態にする為の解錠信号を出力する解錠信号出力手段とを備え、
前記電気錠は、
前記電気錠管理装置から前記施錠信号を受けた際に前記施錠状態を形成する施錠状態形成手段と、
前記電気錠管理装置から前記解錠信号を受けた際に前記解錠状態を形成する解錠状態形成手段とを備えた
ことを特徴とする電気錠システム。
【発明の詳細な説明】
【技術分野】
【０００１】
本発明は、既設のラックに電気錠を設ける電気錠システムに関する。
【背景技術】
【０００２】
従来、データセンタには、複数のサーバコンピュータが設けられており、各サーバコンピュータは、ラック内に収容されている。
【０００３】
各ラックの開口部は扉で閉鎖されており、この扉を開閉することで、保守点検等を行えるように構成されている。
【０００４】
これらのラックに最新式の電気錠を設置してセキュリティを高める場合には、扉を加工したり、交換したり、あるいはラック自体を入れ替えていた。
【発明の開示】
【発明が解決しようとする課題】
【０００５】
しかしながら、このようなラックにあっては、扉の加工や交換又はラックの入れ替えが必要なため、大規模な工事及び多大な費用が発生してしまう。
【０００６】
また、稼働中のデータセンタでは、切粉が発生する作業はできないという問題があった。
【０００７】
本発明は、このような従来の課題に鑑みてなされたものであり、システムが稼働中であっても既設のラックのセキュリティを高めることができる電気錠システムを提供することを目的とするものである。
【課題を解決するための手段】
【０００８】
前記課題を解決するために本発明の施錠システムにおいては、電子機器を収容したラックの外表面に貼着して固定され、当該ラックの開口部を開閉する扉の解放を阻止する施錠状態、及び前記扉の開放を許容する解錠状態を選択的に形成する電気錠と、該電気錠にネットワークを介して通信可能に接続される電気錠管理装置とからなる電気錠システムであって、前記電気錠管理装置は、入力に応じて前記ネットワークに接続された前記電気錠に対して当該電気錠を前記施錠状態にする為の施錠信号を出力する施錠信号出力手段と、入力に応じて前記ネットワークに接続された前記電気錠に対して当該電気錠を前記解錠状態にする為の解錠信号を出力する解錠信号出力手段とを備え、前記電気錠は、前記電気錠管理装置から前記施錠信号を受けた際に前記施錠状態を形成する施錠状態形成手段と、前記電気錠管理装置から前記解錠信号を受けた際に前記解錠状態を形成する解錠状態形成手段とを備えている。
【０００９】
すなわち、データセンタにおいてシステムが稼働中のラックのセキュリティを向上する際には、このラックの外表面に電気錠を貼着して固定し、当該電気錠を、ネットワークを介して電気錠管理装置と通信可能に接続する。
【００１０】
そして、この電気錠によって当該ラックの扉の解放を阻止する際には、前記電気錠管理装置へ入力操作し、この入力に応じて前記電気錠に対して施錠信号を出力する。すると、この施錠信号を受けた電気錠では、扉の解放を阻止する施錠状態が形成され、当該扉の開放が阻止される。
【００１１】
一方、前記電気錠によって当該ラックの扉の解放を許容する際には、前記電気錠管理装置へ入力操作し、この入力に応じて前記電気錠に対して解錠信号を出力する。すると、この解錠信号を受けた電気錠では、扉の開放を許容する解錠状態が形成され、当該扉の開放が許容される。
【発明の効果】
【００１２】
以上説明したように本発明の施錠システムにあっては、ラック内部のシステムが稼働中であっても、ラックの外表面に電気錠を貼着して固定するだけで、電気錠を新設することができる。
【００１３】
このため、既設のラックの扉を加工したり交換したり、又は当該ラックを入れ替えるなどの大規模な工事を行うことなく、電気錠の設置が可能となる。これにより、電気錠の導入コストを大幅に抑えることができる。
【００１４】
また、前記電気錠は、ラックの外表面に貼着して固定される。このため、扉や筐体に加工を施す際に切粉が発生する恐れがある場合と比較して、システム稼働中であっても、既設のラックに電気錠を設けてセキュリティを高めることができる。
【００１５】
そして、この電気錠を複数のラックに設けた場合には、各ラックでの施錠解錠制御を、電気錠管理装置にて一括管理することができる。このため、各ラックに機械式の施錠装置を設けて管理する場合と比較して、複数の鍵を管理しなければならないといった不具合も解消することができる。
【発明を実施するための最良の形態】
【００１６】
（第１の実施の形態）
【００１７】
以下、本発明の第１の実施の形態を図面に従って説明する。図１は、本実施の形態にかかる電気錠システム１を示す図であり、サーバーコンピュータが集中配置されたデータセンタでの採用例が示されている。
【００１８】
すなわち、データセンタでは、各社で使用する複数のサーバコンピュータが管理されており、各サーバコンピュータは、ラック１１，・・・内に収容されている。各ラック１１，・・・の前面には、保守点検用の開口部が設けられており、この開口部は、扉１２によって開閉自在に閉鎖されている。
【００１９】
前記各ラック１１，・・・には、対を成す電気錠２１及び電気錠制御装置２２が貼着されて固定されており、前記電気錠２１は、前記電気錠制御装置２２からの制御信号に従って、当該ラック１１の前記扉１２の解放を阻止した施錠状態と、前記扉１２の開放を許容する解錠状態とを選択的に形成できるように構成されている。
【００２０】
図２は、前記電気錠２１を示す図であり、該電気錠２１は、前記筐体３１の天面３２に固定される筐体側構成部３３と、前記扉１２側に固定される扉側構成部３４とによって構成されている。前記筐体側構成部３３は、クランク状に屈曲されたベース板３５を備えており、該ベース板３５の奥側には、前記筐体３１の天面３２に固定される固定部３６が設定されている。該固定部３６は、接着剤３７によって前記天面３２に固定されるように構成されており、硬化時には、コンクリートのように固化する接着剤３７が使用されている。
【００２１】
前記ベース板３５の手前側には、前記固定部３６より肉厚分一段高く、固定時に前記扉１２の上部に延出する延出部４１が設定されている。この延出部４１には、前記電気錠制御装置２２からの制御信号に従って作動するロック機構４２が固定されており、該ロック機構４２の端面４３からは、進退駆動されるロックバー４４が延出している。これにより、このロック機構４２は、前記電気錠制御装置２２からの制御信号に従って前記ロックバー４４を延出して突出させた状態と、突出したロックバー４４をボタン操作４５に基づいて後退させた状態とを形成できるように構成されている。
【００２２】
また、前記扉側構成部３４は、金属板がＬ字状に屈曲されたアングル材５１を備えており、該アングル材５１には、前記扉１２の上端面５２に沿って延在する垂設面５３と、該垂設面５３より垂下した垂下面５４とが形成されている。このアングル材５１は、前記垂下面５４が前述の接着剤３７によって前記扉１２の前面５５に貼着された状態で固定されており、前記垂設面５３には、固定ブロック５６が固定されている。
【００２３】
該固定ブロック５６は、前記垂設面５３に固定された固定面６１と、該固定面６１より起立した起立部６２とからなり、該起立部６２は、図３に示すように、当該扉１２を閉鎖した状態で、前記筐体側構成部３３の前記ロック機構４２の前記端面４３側部に配置されるように構成されている。この起立部６２には、前記ロックバー４４が挿入されるロック穴が設けられている（図示省略）。
【００２４】
これにより、図３の（ｂ）に示すように、前記扉１２を閉鎖した状態において、前記電気錠制御装置２２からの制御信号によって前記ロックバー４４を延出して突出させた際には、該ロックバー４４が前記固定ブロック６２の前記ロック穴に挿入され前記扉１２の開放を阻止する施錠状態を形成できるように構成されている。また、前記電気錠制御装置２２からの制御信号によって突出したロックバー４４の後退を許容し、かつボタン４５操作によりロックバー４４を後退させた際には、該ロックバー４４が前記固定ブロック６２の前記ロック穴から抜けて前記扉１２の開放を許容する解錠状態を形成できるように構成されている。
【００２５】
また、前記ロック機構４２には、発光ダイオード７１が設けられており、該発光ダイオード７１は、前記解錠状態で発光するように構成されている。これにより、通路等からの目視によって施錠状態を確認できるように構成されており、こじ開けの発見時間の短縮化や少人数による大量ラックの状態監視が容易に行えるように構成されている。
【００２６】
前記電気錠制御装置２２は、図１に示したように、ネットワーク８１（ＬＡＮ（ｌｏｃａｌ  ａｒｅａ  ｎｅｔｗｏｒｋ）やＷＡＮ（ｗｉｄｅ  ａｒｅａ  ｎｅｔｗｏｒｋ））を介して、監視室８２に設けられた電気錠管理装置８３に接続されている。ここで、この電気錠管理装置８３は構内のみならず、他のビル内に設置しても良く、この場合には、ＷＡＮで構成されたインターネットを利用して電気錠制御装置２２と通信できるように構成する。
【００２７】
この電気錠管理装置８３は、パーソナルコンピュータ（ＰＣ）によって構成されており、当該パーソナルコンピュータにて前記電子錠２１を遠隔・集中管理するソフトウエアを実行することで、前記電気錠管理装置８３を構成している。この電気錠管理装置８３を構成するパーソナルコンピュータは、前記各電気錠制御装置２２，・・・と通信する機能を備えており、各電気錠制御装置２２，・・・は、前記電気錠管理装置８３と通信する機能を備えている。これにより、該電気錠管理装置８３は各電気錠制御装置２２，・・・に対して制御信号を送信できるように構成されているとともに、各電気錠制御装置８３から各種状態を取得できるように構成されている。
【００２８】
図４は、当該電気錠システム１の動作を示すフローチャートであり、監視室８２の電気錠管理装置８３のキーボート８３ａやマウス８３ｂを利用して予めユーザに付与されたユーザＩＤが入力されるとともに（Ｓ１）、パスワードが入力され（Ｓ２）、その認証がとれた際には、操作する電気錠２１の選択を促す（Ｓ３）。
【００２９】
このとき、選択された電気錠２１が施錠状態の場合には、解錠許可を出すと判断し（Ｓ４）、この電気錠２１を解錠状態にする為の解錠信号を、ネットワーク８１を介して解錠対象となる電気錠２１と対を成す電気錠制御装置２２に対して送信し、前記電気錠２１がボタン４５操作によって解錠状態を形成できる状態とする（Ｓ５）。
【００３０】
当該電気錠２１が設けられたラック１１において、前記電気錠２１のボタン４５操作により鍵が開けられ扉１２が解放された際には（Ｓ６）、当該電気錠２１は、前記電気錠制御装置２２及び前記ネットワーク８１を介して、前記電気錠管理装置８３へ扉１２が解放されたこをと通知する（Ｓ７）。すると、電気錠管理装置８３のモニタ８３ｃに示された当該ラック１１の扉１２の表示が、解放されたことを示す表示に変化する（Ｓ８）。
【００３１】
また、前記ステップＳ４において、選択された電気錠２１が解錠状態の場合には、施錠信号を出すと判断し、この電気錠２１を施錠状態にする為の施錠信号を、ネットワーク８１を介して施錠対象となる電気錠２１と対を成す電気錠制御装置２２に対して送信し、当該電気錠２１を施錠状態とする。このとき、扉１２が閉鎖されたか否かを判断し（Ｓ９）、扉１２が閉鎖されていた場合には、当該電気錠２１は、前記電気錠制御装置２２及び前記ネットワーク８１を介して、前記電気錠管理装置８３へ扉１２が閉鎖されたこをと通知し、電気錠管理装置８３のモニタ８３ｃに示された当該ラック１１の扉１２の表示を、閉鎖されたことを示す表示に変化する（Ｓ１０）。
【００３２】
また、前記ステップＳ９において、扉１２が解放されていた場合には、当該電気錠２１は、前記電気錠制御装置２２及び前記ネットワーク８１を介して、前記電気錠管理装置８３へ扉１２が解放されていることを通知し、電気錠管理装置８３のモニタ８３ｃに示された当該ラック１１の扉１２の表示を、扉１２がこじ開けられたことを示す表示に変化する（Ｓ１１）。そして、一旦解錠信号を前記電気錠２１に送信して当該扉１２が閉鎖されるまで待機状態にした後（Ｓ１２）、前記ステップＳ４へ移行して施錠動作を行う。
【００３３】
以上の構成において、稼働中のサーバ装置が収容されたラック１１のセキュリティを向上する際には、このラック１１の筐体３１及び扉１２に電気錠２１及び電気錠制御装置２２を接着剤３７で貼着して固定し、当該電気錠２１を、前記電気錠制御装置２２及びネットワーク８１を介して電気錠管理装置８３と通信可能に接続する。これにより、前述したように前記電気錠管理装置８３から前記各ラック１１，・・・の施錠及び解錠を制御することができる。
【００３４】
このように、ラック１１内のサーバコンピュータが稼働中であっても、ラック１１の外表面に電気錠２１を貼着して固定するだけで、電気錠２１を新設することができる。このため、既設のラック１１の扉１２を加工したり、交換したり、又は当該ラック１１を入れ替えるなどの大規模な工事を行うことなく、電気錠２１の設置が可能となる。これにより、電気錠２１の導入コストを大幅に抑えることができる。
【００３５】
また、前記電気錠２１は、ラック１１に貼着して固定されるため、扉１２や筐体３１に加工を施す際に切粉が発生する恐れがある場合と比較して、システム稼働中であっても、既設のラック１１に電気錠２１を設けてセキュリティを高めることができる。
【００３６】
そして、この電気錠２１を複数のラック１１，・・・に設けことによって、各ラック１１，・・・での施錠解錠制御を、電気錠管理装置８３にて一括管理することができる。このため、各ラック１１，・・・に機械式の施錠装置を設けて管理する場合と比較して、複数の鍵を管理しなければならないといった不具合も解消することができる。
【００３７】
（第２の実施の形態）
【００３８】
図５は第２の実施の形態を示す図であり、第１の実施の形態と、各扉１２，・・・に非接触カードリーダやテンキー等の入力装置１０１，・・・が設けられている点で異なっている。
【００３９】
この入力装置１０１は、前記電気錠制御装置２２に接続されており、カードを近づける、又は暗証番号を入力することによって、前記電気錠２１を解錠することができる。
【００４０】
（第３の実施の形態）
【００４１】
図６は第３の実施の形態を示す図であり、第１の実施の形態と異なる点としては、各ラック１１，・・・の近傍に、タッチパネル式電気錠管理装置１１１が設けられている。
【００４２】
このタッチパネル式電気錠管理装置１１１は、前記ネットワーク８１に接続されており、当該タッチパネル式電気錠管理装置１１１においても、ユーザＩＤとパスワードを入力することで、いずれかの電気錠２１を施錠及び解錠制御することができる。
【図面の簡単な説明】
【００４３】
【図１】本発明の第１の実施の形態を示すブロック図である。
【図２】同実施の形態の電気錠の取り付け状態を示す説明図である。
【図３】（ａ）は同実施の形態の電気錠の筐体側構成部と扉側構成部との関係を示す図であり、（ｂ）は、その動作を示す説明図である。
【図４】同実施の形態の動作を示すフローチャートである。
【図５】本発明の第２の実施の形態を示すブロック図である。
【図６】本発明の第３の実施の形態を示すブロック図である。
【符号の説明】
【００４４】
１    電気錠システム
１１    ラック
１２    扉
２１    電気錠
８１    ネットワーク
８３    電気錠管理装置
【図１】
2006009330.tif 000003
【図２】
2006009330.tif 000004
【図３】
2006009330.tif 000005
【図４】
2006009330.tif 000006
【図５】
2006009330.tif 000007
【図６】
2006009330.tif 000008